(57)【特許請求の範囲】
【請求項１】
被取付単体に複数取り付けて、その被取付単体を支持する支持脚装置であって、
前記被取付単体の下面側に当接するとともに、その下面側に取り付けるための、固着具が挿通される貫通孔を備える、支持受け部と、
その支持受け部につながる支持脚部とからなり、
前記支持受け部の上面には、前記被取付単体の下面側に当接することが可能な、第一の当接部および第二の当接部を備え、
一の被取付単体の下面側に取り付けるときは、前記第一の当接部および第二の当接部がともに、一の被取付単体の下面側に当接し、
互いに隣り合う被取付単体の境界部の下面側に取り付けるときには、前記第一の当接部が、互いに隣り合う被取付単体の、いずれか一方の下面側に当接するとともに、前記第二の当接部が、いずれか他方の下面側に当接し、
前記支持受け部は、板状体であって、その外周部は、立ち上がるように折り曲げ形成された折曲部となっており、この折曲部の先端部が、前記第一の当接部および前記第二の当接部として機能し、
前記折曲部の先端部には、前記互いに隣り合う被取付単体のそれぞれの妻板の下端部との間で、その妻板の突出を許容する許容空間を形成する、切欠部が、前記折曲部の基端部側を残すようにして形成されていることを特徴とする支持脚装置。
【請求項２】
前記支持脚部は、上下方向の長さを伸縮可能に調整するレベル調整機能を備えることを特徴とする請求項１に記載の支持脚装置。
【請求項３】
前記支持受け部は、その下面側において、前記支持脚部をつなぎ止めるための脚部繋止手段を備えることを特徴とする、請求項１または２に記載の支持脚装置。
【請求項４】
前記脚部繋止手段は、前記支持受け部の下面側に形成される、前記支持脚部が嵌まり込む凹部と、他の固着具が差し入れられる、前記支持脚部側と連通可能な連通孔とからなることを特徴とする請求項３に記載の支持脚装置。
【請求項５】
被取付単体に複数取り付けて、その被取付単体を支持する支持脚装置であって、
前記被取付単体の下面側に当接するとともに、その下面側に取り付けるための、固着具が挿通される貫通孔を備える、支持受け部と、
その支持受け部につながる支持脚部とからなり、
前記支持受け部の上面には、前記被取付単体の下面側に当接することが可能な、第一の当接部および第二の当接部を備え、
一の被取付単体の下面側に取り付けるときは、前記第一の当接部および第二の当接部がともに、一の被取付単体の下面側に当接し、
互いに隣り合う被取付単体の境界部の下面側に取り付けるときには、前記第一の当接部が、互いに隣り合う被取付単体の、いずれか一方の下面側に当接するとともに、前記第二の当接部が、いずれか他方の下面側に当接する、支持脚装置を複数用いて、前記被取付単体を支持する、支持脚装置の取り付け構造において、
互いに隣り合う被取付単体の、境界部の下面側において、前記支持脚装置は、前記互いに隣り合う被取付単体の、いずれか一方の下面側に、前記支持受け部に備わる第一の当接部が当接するとともに、そのいずれか一方の下面側に取り付け固定され、かつ、
前記互いに隣り合う被取付単体の、いずれか他方の下面側に、前記支持受け部に備わる第二の当接部が当接するとともに、その第二の当接部に、前記いずれか他方の被取付単体が載せ置きされることにより、前記互いに隣り合う被取付単体の双方を支持し、
前記第一の当接部と第二の当接部との境界を結ぶ境界線上のほぼ真下には、前記支持脚装置の支持脚部の軸心が位置することを特徴とする、支持脚装置の取り付け構造。
【発明の詳細な説明】
【０００１】
【発明の属する技術分野】
この発明は、例えば、流し台ユニットなどの被取付単体の下面側に複数取り付けて、その被取付単体を支持する支持脚装置、およびその支持脚装置の取り付け構造に関するものである。
【０００２】
【従来の技術】
従来の支持脚装置としては、例えば、被取付単体としての流し台ユニットの下面側に、所要の間隔を置いて複数取り付ける、丸棒状の脚があった。これら支持脚装置としての脚は、その上端部が、流し台ユニットの下面側に、ボルトなどの固着具または接着材を介して、取り付けられるとともに、その下端部に備わるアジャスターによって上下方向の高さ位置を調節することができた。そして、支持脚装置としての脚は、少なくとも、流し台の下面側の四角に一本づつ、一の流し台ユニット当たり全部で四本取り付けられ、それぞれのアジャスターを操作して、床との間の高さ位置を調節することで、流し台を水平にレベル調整していた。
【０００３】
【発明が解決しようとする課題】
ところが、前記従来の支持脚装置としての脚は、例えば、システムキッチンなど、脚を取り付ける対象が、複数の被取付単体から構成される場合には、被取付単体ごとに四本づつ必要されるとすると、全体として、相当数が費やされることとなった。
【０００４】
また、システムキッチンのような被取付単体の集合体は、通常、背面側が壁に接する程に近接して設置されるため、一の被取付単体を設置した後、その一の被取付単体と隣接する、他の被取付単体を設置する場合に、その他の被取付単体の背面側にあって、一の被取付単体が位置する側に取り付けられた脚のアジャスターには、床との間に形成される隙間から手を差し入れて操作しようとしても、奥の方に位置するため、手が届かないことがあった。そのため、この被取付単体のレベル調整を困難なものにしていた。
【０００５】
この発明は、上記した従来の技術の欠点を解決するためになされたものであり、その目的とするところは、少ない個数で被取付単体を支持することが可能な支持脚装置、およびその支持脚装置の取り付け構造を提供することにある。また、他の目的は、被取付単体のレベル調整が容易な支持脚装置を提供することにある。
【０００６】
【課題を解決するための手段】
この発明に係る、支持脚装置、およびその支持脚装置の取り付け構造は、前記目的を達成するために、次の構成からなる。すなわち、
請求項１に記載の発明に係る支持脚装置は、被取付単体に複数取り付けて、その被取付単体を支持する支持脚装置であって、前記被取付単体の下面側に当接するとともに、その下面側に取り付けるための、固着具が挿通される貫通孔を備える、支持受け部と、その支持受け部につながる支持脚部とからなる。そして、前記支持受け部の上面には、前記被取付単体の下面側に当接することが可能な、第一の当接部および第二の当接部を備え、一の被取付単体の下面側に取り付けるときは、前記第一の当接部および第二の当接部がともに、一の被取付単体の下面側に当接し、互いに隣り合う被取付単体の境界部の下面側に取り付けるときには、前記第一の当接部が、互いに隣り合う被取付単体の、いずれか一方の下面側に当接するとともに、前記第二の当接部が、いずれか他方の下面側に当接する。また、前記支持受け部は、板状体であって、その外周部は、立ち上がるように折り曲げ形成された折曲部となっており、この折曲部の先端部が、前記第一の当接部および前記第二の当接部として機能する。そして、前記折曲部の先端部には、前記互いに隣り合う被取付単体のそれぞれの妻板の下端部との間で、その妻板の突出を許容する許容空間を形成する、切欠部が、前記折曲部の基端部側を残すようにして形成されている。これにより、複数の被取付単体を並べて設置する場合、支持脚装置は、互いに隣り合う被取付単体の双方に、共有されるようにして取り付けることができるので、必要とされる支持脚装置の個数を少なくすることができる。また、支持脚装置は、互いに隣り合う被取付単体の境界部の下面側に取り付けるばかりでなく、中間部とか両端部の下面側を含めた全ての取付箇所に共通して取り付けることができる。
【０００７】
また、請求項２に記載の発明に係る支持脚装置のように、前記支持脚部は、上下方向の長さを伸縮可能に調整するレベル調整機能を備えるのが望ましい。これにより、被取付単体を支持する複数の支持脚装置は、それぞれの支持脚部の上下方向の長さを伸縮させることで、その被取付単体を、水平にレベル調整する。ここで、例えば、複数の被取付単体を、背面側を壁に接する程に近接させて並べて設置する場合、互いに隣り合う被取付単体の境界部の、背面側に取り付ける支持脚装置は、設置面との間で形成される、前面側の隙間から手を差し入れても、手が届かないときがあり、一般にレベル調整しにくい箇所である。しかし、互いに隣り合う被取付単体のいずれか一方を支持脚装置が支持する際に、予め、その一方の被取付単体のレベル調整をしておけば、双方が共有する支持脚装置によって、その後、いずれか他方の被取付単体を設置する際に、既にレベル調整された一方の被取付単体に合わせて設置することができ、困難な箇所のレベル調整を避けることができる。
【０００８】
【０００９】
【００１０】
また、請求項３に記載の発明に係る支持脚装置のように、前記支持受け部は、その下面側において、前記支持脚部をつなぎ止めるための脚部繋止手段を備えるのが好ましい。これにより、一体性よく支持受け部と支持脚部とがつながる。
また、請求項４に記載の発明に係る支持脚装置のように、前記脚部繋止手段は、前記支持受け部の下面側に形成される、前記支持脚部が嵌まり込む凹部と、他の固着具が差し入れられる、前記支持脚部側と連通可能な連通孔とからなるのが望ましい。
【００１１】
請求項５に記載の発明に係る、支持脚装置の取り付け構造は、被取付単体に複数取り付けて、その被取付単体を支持する支持脚装置であって、前記被取付単体の下面側に当接するとともに、その下面側に取り付けるための、固着具が挿通される貫通孔を備える、支持受け部と、その支持受け部につながる支持脚部とからなり、前記支持受け部の上面には、前記被取付単体の下面側に当接することが可能な、第一の当接部および第二の当接部を備え、一の被取付単体の下面側に取り付けるときは、前記第一の当接部および第二の当接部がともに、一の被取付単体の下面側に当接し、互いに隣り合う被取付単体の境界部の下面側に取り付けるときには、前記第一の当接部が、互いに隣り合う被取付単体の、いずれか一方の下面側に当接するとともに、前記第二の当接部が、いずれか他方の下面側に当接する、支持脚装置を複数用いて、前記被取付単体を支持する、支持脚装置の取り付け構造である。この取り付け構造は、互いに隣り合う被取付単体の、境界部の下面側において、前記支持脚装置は、前記互いに隣り合う被取付単体の、いずれか一方の下面側に、前記支持受け部に備わる第一の当接部が当接するとともに、そのいずれか一方の下面側に取り付け固定され、かつ、前記互いに隣り合う被取付単体の、いずれか他方の下面側に、前記支持受け部に備わる第二の当接部が当接するとともに、その第二の当接部に、前記いずれか他方の被取付単体が載せ置きされることにより、前記互いに隣り合う被取付単体の双方を支持し、前記第一の当接部と第二の当接部との境界を結ぶ境界線上のほぼ真下には、前記支持脚装置の支持脚部の軸心が位置する。このように、互いに隣り合う被取付単体は、双方と同時に当接するような、支持受け部を備える支持脚装置を共有するため、全体として使用される支持脚装置の個数を少なくすることができる。また、互いに隣り合う被取付単体の、いずれか一方の被取付単体の下面側に、支持脚装置を取り付け固定しておけば、その後、いずれか他方の被取付単体を設置する際には、支持脚装置の第二の当接部に、他方の被取付単体を載せるだけで済む。
【００１２】
また、第一の当接部と第二の当接部との境界を結ぶ境界線上のほぼ真下には、前記支持脚装置の支持脚部の軸心が位置しており、互いに隣り合う被取付単体の双方は、共有する支持脚装置によってバランスよく支持される。
【００１３】
【００１４】
【発明の実施の形態】
以下、この発明に係る支持脚装置、およびその支持脚装置の取り付け構造の実施の形態を図面に基づいて説明する。この支持脚装置Ｓ、Ｓは、例えば、流し台ユニット、調理台ユニット、収納ユニット、家具、ベッドなどの屋内設備品、またはコンテナなどの屋外設備品としての被取付単体７を支持するため、その被取付単体７に複数取り付けて使用するものであって、被取付単体７を受ける支持受け部１、１と、その支持受け部１、１につながる支持脚部４、４とから構成される。
【００１５】
前記支持受け部１は、図１ないし図４に示すように、例えば、プレート金具からなる、四角が丸みを帯びたほぼ矩形状の板状体であって、その外周部は、少しだけ立ち上がる折曲部２となる。そして、折曲部２近傍の両側部には、それぞれ、長手方向に三個づつ並ぶようにして、厚み方向に貫通する貫通孔３、３が形成されており、これら貫通孔３、３は、支持受け部１の、前記支持脚部４がつながる側となる下面側からテーパー状に落ち込む開口縁部５、５によって縁取られている。また、支持受け部１の中央部よりやや一方側に寄った位置の下面側には、所要幅の十字形状であって、交差部分が曲線状につながる凹部６が形成されている。この凹部６は、プレス加工によって、支持受け部１の、前記被取付単体７が取り付く側となる上面側の変形を伴って形成されるため、凹部６に対応位置する、支持受け部１の上面側には、凸部８が形成されることとなる。そして、これら凹部６および凸部８のそれぞれの中心部を厚み方向に貫通するようにして、前記支持受け部１には、前記支持脚部４側と連通可能な連通孔９が設けられている。さらに、支持受け部１の下面側には、前記凹部６が形成される箇所以外の広範囲に、プレス加工によって凹む付設凹部１０、１０が形成され、この付設凹部１０、１０に対応位置する支持受け部１の上面側には、付設凸部１１、１１が形成されている。
【００１６】
一方、前記支持脚部４は、図５ないし図７に示すように、所要幅を持つ十字形状で、その交差部が曲線状につながる横断面形状を有し、ある程度の長さに形成される支持脚部本体１２と、その支持脚部本体１２の下端部に取り付けられるレベル調整部１３とからなる。そして、支持脚部本体１２には、その中心軸を長手方向に貫通するようにして、軸貫通孔１４が形成され、さらに、この軸貫通孔１４の上部には、上部雌ねじ部（図示せず）が設けられ、軸貫通孔１４の下部には、下部雌ねじ部１５が設けられている。一方、レベル調整部１３は、円柱形の頭部１３ａと雄ねじ部１３ｂとを備え、この雄ねじ部１３ｂが、下部雌ねじ部１５にねじ込まれることで、支持脚部本体１２に着脱可能に取り付けられる。また、レベル調整部１３のねじ込み具合を適宜に調整することで、支持脚部４の上下方向の長さが伸縮可能に調整される。なお、支持脚部本体１２を横断面十字形状に形成するのは、デザイン上の理由によるものであり、支持脚部本体１２の形状としては、例えば、単なる円柱体とか角柱体であってもよく、特に限定されない。
【００１７】
そして、これら支持脚部４を支持受け部１につなげるには、支持受け部１の連通孔９の上面側の開口部に、ボルトなどの固着具を差し入れるとともに、その固着具の先端部が、支持脚部４の上部雌ねじ部にねじ込まれるようにする。すると、支持受け部１のほぼ十字形状に形成された凹部６に、支持脚部本体１２の横断面ほぼ十字形状の上部がちょうど嵌まり込むので、支持脚部４は、支持受け部１に位置ずれしないように固定される。このように、支持受け部１は、その下面側において、支持脚部４をつなぎ止めるために、その支持脚部４がちょうど嵌まり込む凹部６と、支持脚部４側と連通可能な連通孔９とからなる脚部繋止手段を備えており、この脚部繋止手段によって、支持脚部４と一体性よくつながる。もっとも、この場合の脚部繋止手段は、ボルトなどの固着具と雌ねじ部との結合によるため、支持受け部１は、支持脚部４と着脱可能につながることとなるが、脚部繋止手段としては、例えば、支持受け部１の下面側に、支持脚部４を着脱不能に溶着などしてつなげてもよい。また、前記ボルトなどの固着具を、予め、支持受け部１に一体として取り付けておいてもよい。こうして、図示実施の形態の支持脚部４は、支持受け部１の中央部よりもやや一方側に寄った位置の下面側に、偏心位置するようにしてつながり、支持脚装置Ｓを形成する。
【００１８】
次に、この支持脚装置Ｓ、および支持受け部１の作用効果、並びに支持脚装置Ｓの取り付け構造について図８ないし図１２に基づいて説明する。なお、図示実施の形態における被取付単体７、７は、例えば、システムキッチンなど、支持脚装置Ｓ、Ｓを取り付ける対象が、複数の被取付単体７、７から構成される場合を示す。このシステムキッチンを形成するには、まず、システムキッチンの一端部を構成する、一の被取付単体７ａの下面側の四角のそれぞれに、支持脚装置Ｓ、Ｓを取り付ける。具体的には、支持脚装置Ｓ、Ｓの支持受け部１、１の折曲部２、２の先端部が、一の被取付単体７ａの下面側に当接するように取り付ける。このとき、他の被取付単体７ｂが位置する側の、一の被取付単体７ａの下面側の前後の二角には、この支持受け部１、１の折曲部２、２の先端部が一部だけ当接し、先端部の他の部分は、被取付単体７ａの一方の妻板２０ａから外側にはみ出るような、延出部２１、２１を形成するように取り付ける。これにより、延出部２１、２１は、後述するように、他の被取付単体７ｂの下面側に当接することが可能な第二の当接部２５、２５として機能することとなり、また、前記折曲部２、２の先端部の一部は、一の被取付単体７ａの下面側に当接することが可能な第一の当接部２２、２２として機能する。
【００１９】
ここで、支持脚装置Ｓ、Ｓを被取付単体７に取り付けるには、支持受け部１、１に六個ある貫通孔３、３のうちの四個の貫通孔３、３を、被取付単体７ａに取り付けるための取り付け手段として選択する。例えば、被取付単体７の下面側の中間部に取り付ける支持脚装置Ｓ、Ｓの場合には、第二の当接部２５、２５としての延出部２１、２１が形成されず、第一の当接部２２、２２と第二の当接部２５、２５がともに被取付単体７の下面側に当接するので、六個ある貫通孔３、３のうちから任意に四個の貫通孔３、３を選択すればよい。一方、延出部２１、２１の形成を伴って被取付単体７の下面側に取り付ける支持脚装置Ｓ、Ｓの場合には、第一の当接部２２、２２が形成される側の、四個の貫通孔３、３を選択する。そして、これら取り付け手段としての貫通孔３、３に、前記テーパー状の開口縁部５、５に合致する頭部形状の、固着具としてのさら木ねじ２３、２３を、支持受け部１の下面側から挿通するとともに、支持受け部１の上面側から突き出る先端部を、被取付単体７ａの下面側にねじ込むようにする。もっとも、取り付け手段としての貫通孔３、３は、テーパー状の開口延部５、５によって縁取られている必要はなく、また、さら木ねじ２３、２３でなく通常のねじを用いてもよい。
【００２０】
こうして、支持脚装置Ｓ、Ｓが取り付けられた、一の被取付単体７ａは、その背面側が壁面と接するようにして、所定の場所に設置される。その後、前記レベル調整部１３、１３を操作して、支持脚装置Ｓ、Ｓの支持脚部４、４の上下方向の長さを、それぞれに伸縮させることで、支持脚部４、４のレベル調整機能を発揮させ、一の被取付単体７ａを水平にレベル調整する。なお、支持受け部１、１の折曲部２、２の先端部には、一部切り欠かれて切欠部２４、２４が形成されており、これら切欠部２４、２４は、一方の妻板２０ａの下端部との間で、その妻板２０ａの、誤差による突出を許容する許容空間Ｑ、Ｑを形成する。これら切欠部２４、２４の許容空間Ｑ、Ｑは、隣り合う、他の被取付単体７ｂを受ける場合に、その被取付単体７ｂの他の妻板２０ｂの突出をも許容する大きさである。
【００２１】
次に、この一の被取付単体７ａと隣り合う、他の被取付単体７ｂを設置するため、まず、この他の被取付単体７ｂの下面側の中間部の前後の二箇所と、前記一の被取付単体７ａが位置する側とは反対側の、下面側の前後の二角に支持脚装置Ｓ、Ｓを取り付ける。このとき、この下面側の前後の二角には、支持受け部１、１の先端部の第一の当接部２２、２２のみが当接し、その先端部の第二の当接部２５、２５には、被取付単体７ｂの他方の妻板２０ｂから外側にはみ出るような、延出部２１、２１を形成するように取り付ける。支持脚装置Ｓ、Ｓの取り付け方法は、取り付け手段としての貫通孔３、３にさら木ねじ２３、２３などの固着具を挿通させ、その先端部を、他の被取付単体７ｂの下面側にねじ込ませればよく、既述した通りである。そして、この他の被取付単体７ｂの他方の妻板２０ｂと一の被取付単体７ａの一方の妻板２０ａとがほぼ接するように、他の被取付単体７ｂの下面側の、支持脚装置Ｓ、Ｓが取り付けられていない側の前後の二角を、前記延出部２１、２１の上面に載せる（図９参照）。こうして、互いに隣り合う被取付単体７ａ、７ｂの、境界部の下面側に取り付ける支持脚装置Ｓ、Ｓは、第一の当接部２２、２２と第二の当接部２５、２５とを備えることで、互いに隣り合う被取付単体７ａ、７ｂの双方に、共有されるようにして取り付けることができる。
【００２２】
その後、この他の被取付単体７ｂのレベル調整をするわけであるが、前記延出部２１、２１に載せられた部分の、下面側の前後の二角は、既に、一の被取付単体７ａのレベル調整により、第二の当接部２５、２５としての延出部２１、２１の高さ位置が、床上から適当な位置に調整されている。ここで、下面側の前後の二角のうち、他の被取付単体７ｂの背面側であって、一の被取付単体７ａが位置する側の一角は、前面側の床との間に形成される隙間から手を差し入れても、手が届かないほど奥の方に位置する、レベル調整しにくい箇所である。しかし、このような双方の被取付単体７ａ、７ｂを支持する支持脚装置Ｓ、Ｓを取り付けることによって、一の被取付単体７ａを設置する際にレベル調整しておけば、他の被取付単体７ｂを設置する際には、レベル調整する必要はない。
【００２３】
こうして、支持脚装置Ｓ、Ｓは、互いに隣り合う被取付単体７ａ、７ｂの、いずれか一方の下面側に、支持受け部１、１に備わる第一の当接部２２、２２が当接するとともに、既述した取り付け手段によって、そのいずれか一方の下面側に取り付け固定され、かつ、前記互いに隣り合う被取付単体７ａ、７ｂの、いずれか他方の下面側に、支持受け部１、１に備わる第二の当接部２５、２５が当接するとともに、その第二の当接部２５、２５に、いずれか他方が載せ置きされることにより、互いに隣り合う被取付単体７ａ、７ｂの双方を支持するような、取り付け構造を呈する。すなわち、互いに隣り合う被取付単体７ａ、７ｂの、双方の下面側において、支持脚装置Ｓ、Ｓは、互いに隣り合う被取付単体７ａ、７ｂの、いずれか一方の下面側にのみ取り付くので、その後、この支持脚装置Ｓ、Ｓの第二の当接部２５、２５には、いずれか他方を、単に載せるだけでよい。よって、支持脚装置Ｓ、Ｓの取り付け作業の手間を一部省くことができる。そして、必要に応じて、これら互いに隣り合う被取付単体７ａ、７ｂは、例えば、対面する双方の妻板２０ａ、２０ｂを連通するような、ボルトなどの取り付け具を介して、固定される。
【００２４】
また、支持脚装置Ｓ、Ｓの支持脚部４、４は、支持受け部１、１に備わる、第一の当接部２２、２２と第二の当接部２５、２５との境界を結ぶ境界線Ｎ上の、ほぼ真下に位置するように形成されるので（図２参照）、被取付単体７、７に取り付けると、互いに隣り合う被取付単体７ａ、７ｂの、境界部のほぼ真下に位置するようになる。よって、支持脚部４、４は、これら互いに隣り合う双方の被取付単体７ａ、７ｂをバランスよく支持する。
【００２５】
その後、この他の被取付単体７ｂに隣接する、さらなる被取付単体７ｃを設置する場合には、他の被取付単体７ｂの下面側の、前記第二の当接部２５、２５としての延出部２１、２１に、さらなる被取付単体７ｃの下面側の前後の二角を載せればよく、その後の作業は既述した通りである。このように、被取付単体７、７は、必要な数だけ並べられて順次に設置されるが、並べられた被取付単体７、７の両側に位置する被取付単体７、７の各側端部においては、前記延出部２１、２１は形成されないようにする。すなわち、前記第一の当接部２２および前記第二の当接部２５を、被取付単体７の下面側にともに当接させることにより、支持脚装置Ｓが被取付単体７の妻板から外側にはみ出ないように取り付ける。なお、図示実施の形態においては、図１１に示すように、第一の当接部２２側を妻板に近接させて、その妻板から外側にはみ出ないように、支持脚装置Ｓを被取付単体７に取り付ける。
【００２６】
以上のように、支持脚装置Ｓ、Ｓは、互いに隣り合う被取付単体７ａ、７ｂの下面側において、双方の被取付単体７ａ、７ｂに共有されるので、図１２に示すように、従来の場合だと、一つの被取付単体７に四個づつ全部で十二個必要された、支持脚装置Ｓ、Ｓの個数は、八個にまで減らすことができる。また、支持脚装置Ｓ、Ｓは、互いに隣り合う被取付単体７ａ、７ｂの境界部の下面側に取り付けるばかりでなく、中間部とか両端部の下面側を含めた全ての取り付け箇所に共通して取り付けることができ、汎用性を有する。
【００２７】
なお、この発明は、上述した実施の形態に限定されるわけではなく、その他種々の変更が可能である。例えば、支持脚装置Ｓの支持受け部１は、互いに隣り合う被取付単体７ａ、７ｂの、双方の境界部を全体的に受けることができるように、その境界部に沿って一方向に長く延びる細長形状に形成してもよい。こうすると、被取付単体７を支持する支持脚装置Ｓ、Ｓの個数は、一層少なくすることができる。
【００２８】
また、支持受け部１は、前記取り付け手段を備え、かつ、互いに隣り合う被取付単体７ａ、７ｂの双方と当接するように、互いに隣り合う被取付単体７ａ、７ｂの、いずれか一方の下面側に当接することが可能な第一の当接部２２と、いずれか他方の下面側に当接することが可能な第二に当接部２５とを備えていれば、これら当接部２２、２５は、折曲部２の先端部になくてもよく、支持受け部１が、互いに隣り合う被取付単体７ａ、７ｂの、双方の下面側と、全面的に接するような態様であってもよい。また、支持脚装置Ｓは、支持受け部１と支持脚部４とに明確に区別されていなくてもよい。
【００２９】
また、支持受け部１に備わる、被取付単体７の下面側に取り付けるための取り付け手段としては、前記貫通孔３、３に限定されず、例えば、支持受け部１の折曲部２の先端部をさらに内側あるいは外側に折り曲げて形成されるものとして、被取付単体７の下面側に、この折曲部２の先端部と係合する溝あるいはレールなどの案内部を設けて置き、この案内部に沿って、折曲部２の先端部が移動可能に装着される態様であってもよい。
【００３０】
また、支持脚装置Ｓの取り付け対象となる被取付単体７は、必ずしも、複数並べて設置するようなものばかりでなく、一つだけ単独で存在するものであってもよい。この場合、支持脚装置Ｓは、被取付単体７の妻板から外側にはみ出ないように、例えば、被取付単体７の下面側の四角に取り付けるとよい。また、被取付単体７が、例えば、テーブルの台のように、床上から相当に高い位置にある場合には、支持脚装置Ｓの支持脚部４を、長手方向に長く延ばして形成する。
【００３１】
【発明の効果】
以上、詳述したところから明らかなように、この発明に係る、支持脚装置、およびその支持脚装置の取り付け構造によれば、次の効果がある。
【００３２】
請求項１に記載された支持脚装置によれば、複数の被取付単体を並べて設置する場合に、それら被取付単体に取り付けられる支持脚装置の個数を少なくすることができる。また、互いに隣り合う被取付単体の境界部の下面側に取り付けるばかりでなく、中間部とか両端部の下面側を含めた全ての取付箇所に共通して取り付けることができ、汎用性を有する。
その上、切欠部により、被取付単体の妻板の、誤差による突出が許容される。
【００３３】
請求項２に記載された支持脚装置によれば、加えて、被取付単体のレベル調整を容易に行なうことができる。
【００３４】
【００３５】
【００３６】
請求項３および４に記載された支持脚装置によれば、加えて、支持受け部と支持脚部とを一体性よくつなげることができる。
【００３７】
請求項５に記載された、支持脚装置の取り付け構造によれば、少ない個数の支持脚装置によって被取付単体を支持することができる。また、取り付け作業の手間を一部省くことができる。
【００３８】
その上、第一の当接部と第二の当接部との境界を結ぶ境界線上のほぼ真下には、支持脚装置の支持脚部の軸心が位置しており、互いに隣り合う被取付単体をバランスよく支持することができる。
【００３９】
【図面の簡単な説明】
【図１】  この発明に係る支持脚装置の支持受け部の、支持脚部につながる側となる下面側に相当する底面図である。
【図２】  同じく、被取付単体が取り付く側となる上面側に相当する平面図である。
【図３】  図１におけるＡ−Ａ線断面図である。
【図４】  図１におけるＢ−Ｂ線断面図である。
【図５】  この発明に係る支持脚装置の支持脚部の平面図である。
【図６】  同じく、支持脚部の一部破断正面図である。
【図７】  同じく、支持脚部のレベル調整機能を示す要部断面図である。
【図８】  この発明に係る、支持脚装置の取り付け構造の要部断面図であって、支持脚装置が、互いに隣り合う被取付単体の、いずれか一方に取り付け固定された状態を示す図である。
【図９】  同じく、支持脚装置が、互いに隣り合う被取付単体の、いずれか他方を載せて、双方の被取付単体を支持する状態を示す図である。
【図１０】  この発明に係る、支持脚装置およびその支持脚装置の取り付け構造を、被取付単体とともに示す縦断面図である。
【図１１】  図１０におけるＣ−Ｃ線断面図である。
【図１２】  この発明に係る、支持脚装置の、取り付け対象となる被取付単体を、順次に並べて設置する状態を概略的に示す図である。
【符号の説明】
Ｓ  支持脚装置          Ｎ  第一の当接部と第二の当接部との境界を結ぶ境界線
Ｑ  許容空間            １  支持受け部          ２  折曲部
４  支持脚部            ６  凹部                ７  被取付単体
９  連通孔              ７ａ、７ｂ  互いに隣り合う被取付単体
２２  第一の当接部      ２４  切欠部          ２５  第二の当接部
【図１】
0003710990.tif 000002
【図２】
0003710990.tif 000003
【図３】
0003710990.tif 000004
【図４】
0003710990.tif 000005
【図５】
0003710990.tif 000006
【図６】
0003710990.tif 000007
【図７】
0003710990.tif 000008
【図８】
0003710990.tif 000009
【図９】
0003710990.tif 000010
【図１０】
0003710990.tif 000011
【図１１】
0003710990.tif 000012
【図１２】
0003710990.tif 000013